【手続補正書】
【提出日】平成27年8月18日(2015.8.18)
【手続補正１】
【補正対象書類名】特許請求の範囲
【補正対象項目名】全文
【補正方法】変更
【補正の内容】
【特許請求の範囲】
【請求項１】
液体ジェット噴射に用いるためのシステムにおいて、前記システムが、
第１のノズル列を有する第１のプリントモジュール、
第２のノズル列を有する第２のプリントモジュール、及び
第１の時点においてリモートデバイスから第１のデータパケットを受け取り、前記第１の時点の後の第２の時点において前記リモートデバイスから第２のデータパケットを受け取る、コントローラ、
を備え、
前記第１のデータパケット及び前記第２のデータパケットはそれぞれ前記第１のプリントモジュール及び前記第２のプリントモジュールに対するイメージデータを収め、
前記コントローラは、前記第１のデータパケットを受け取ると、第３の時点において、前記第１のノズル列の少なくともいくつかのノズルに基板上の一線上に液滴を射出させるように構成され、前記コントローラは、前記第２のデータパケットを受け取ると、前記第３の時点からある遅延時間だけ隔てられた第４の時点において、前記第２のノズル列の少なくともいくつかのノズルに前記基板上の前記線上に液滴を射出させるように構成され、
前記遅延時間は、ジェット噴射サイクル長の整数倍である第１の部分及び前記ジェットサイクル長の分数である第２の部分を有し、
前記第１の時点と前記第２の時点の間の時間差は前記遅延時間の前記第１の部分に等しく、前記遅延時間の前記第２の部分は前記第１のデータパケット及び前記第２のデータパケットの少なくとも一方にエンコードされる、
ことを特徴とするシステム。
【請求項２】
前記液体射出中、前記第１のプリントモジュール及び前記第２のプリントモジュールと前記基板が第１の方向に沿って相対運動しており、前記遅延時間が前記相対運動の速度及び前記第１の方向に対して垂直な第２の方向に沿う前記第１のノズル列と前記第１のノズル列の間の距離に基づいて決定されていることを特徴とする請求項１に記載のシステム。
【請求項３】
前記液体射出中の前記相対運動の前記速度を決定するためのエンコーダをさらに備え、前記液体射出中の前記相対運動の前記速度の変化にともない、前記遅延時間が動的に変化することを特徴とする請求項２に記載のシステム。
【請求項４】
前記第１のノズル列及び前記第２のノズル列が１つの連続ノズル列を形成するように配置され、前記遅延時間がゼロであることを特徴とする請求項２に記載のシステム。
【請求項５】
前記第１のノズル列及び前記第２のノズル列が、前記距離が非ゼロであるように、実質的に平行に配置され、前記遅延時間が非ゼロであることを特徴とする請求項２に記載のシステム。
【請求項６】
前記第１のプリントモジュールに関係付けられた第１のメモリ及び前記第２のプリントモジュールに関係付けられた第２のメモリをさらに備え、それぞれの前記メモリに、前記第１のプリントモジュール及び前記第２のプリントモジュールの選ばれたノズルに印加して前記選ばれたノズルに液滴を射出させるための波形が格納されていることを特徴とする請求項１に記載のシステム。
【請求項７】
前記コントローラが、前記第２のプリントモジュールに前記格納波形を印加する前に、前記第２のプリントモジュールに対する前記第２のメモリに格納されている波形に先行空白を挿入することによって前記遅延時間の前記第２の部分を処理するように構成されることを特徴とする請求項６に記載のシステム。
【請求項８】
前記第１のデータパケット及び前記第２のデータパケットをシリアルに受け取るためのインターフェースをさらに備えることを特徴とする請求項１に記載のシステム。
【請求項９】
第１のノズル列を有する第１のプリントモジュール及び第２のノズル列を有する第２のプリントモジュールを有するプリントヘッドアセンブリにおいて、液体ジェット噴射に用いる方法であって、
前記方法が、
第１の時点においてリモートデバイスから第１のデータパケットを受け取る工程、
第３の時点において、前記第１のノズル列の少なくともいくつかのノズルに基板上の一線上に液滴を射出させる工程、
前記第１の時点の後の第２の時点において前記リモートデバイスから第２のデータパケットを受け取る工程、及び
前記第３の時点からある遅延時間だけ隔てられた第４の時点において、前記第２のノズル列の少なくともいくつかのノズルに前記基板上の前記線上に液滴を射出させる工程、
を含み、
前記遅延時間がジェット噴射サイクル長の整数倍の第１の部分及び前記ジェット噴射サイクル長の分数の第２の部分を有し、前記第１の時点と前記第２の時点の間の時間差は前記遅延時間の前記第１の部分に等しく、前記遅延時間の前記第２の部分は前記第１のデータパケット及び前記第２のデータパケットの少なくとも一方にエンコードされている、
ことを特徴とする方法。
【請求項１０】
前記遅延時間が、前記液体ジェット噴射中の第１の方向に沿う前記基板の速度及び前記第１の方向に対して垂直な第２の方向に沿う前記第１のノズル列と前記第２のノズル列の間の距離に基づいて決定されることを特徴とする請求項９に記載の方法。
【請求項１１】
前記基板の前記速度がエンコーダからの情報に基づいて決定されることを特徴とする請求項１０に記載の方法。
【請求項１２】
前記遅延時間が、前記液体ジェット噴射中に、前記エンコーダからの前記速度に関する情報の繰返し受取りに基づいて繰り返して決定されることを特徴とする請求項１１に記載の方法。
【請求項１３】
前記第２のノズル列の少なくともいくつかのノズルに液滴を射出させる前記工程が、前記第２のノズル列の前記少なくともいくつかのノズル上に印加されるべき波形に前記遅延時間の前記第２の部分を表す先行空白を挿入する工程を含むことを特徴とする請求項９に記載の方法。
【請求項１４】
液体ジェット噴射に用いるためのシステムにおいて、前記システムが、
リモートコンピュータに常駐する制御エレクトロニクス、
及び
前記コンピュータからリモートにあるプリントヘッドアセンブリ、
を備え、
前記制御エレクトロニクスは液体をジェット噴射するためのデータパケットを生成及び送出するように構成され、
前記プリントヘッドアセンブリは、
第１のノズル列を有する第１のプリントモジュール、
第２のノズル列を有する第２のプリントモジュール、及び
第１の時点において前記制御エレクトロニクスから第１のデータパケットを受け取り、前記第１の時点の後の第２の時点において前記制御エレクトロニクスから第２のデータパケットを受け取る、コントローラ、
を有し、
前記第１のデータパケット及び前記第２のデータパケットはそれぞれ前記第１のプリントモジュール及び前記第２のプリントモジュールに対するイメージデータを収め、
前記コントローラは、前記第１のデータパケットを受け取ると、第３の時点において、前記第１のノズル列の少なくともいくつかのノズルに基板上の一線上に液滴を射出させるように構成され、前記コントローラは、前記第２のデータパケットを受け取ると、前記第３の時点からある遅延時間だけ隔てられた第４の時点において、前記第２のノズル列の少なくともいくつかのノズルに前記基板上の前記線上に液滴を射出させるように構成され、
前記遅延時間はジェット噴射サイクル長の整数倍の第１の部分及び前記ジェット噴射サイクル長の分数の第２の部分を有し、
前記コンピュータからの前記第１のデータパケットの前記送出と前記第２のデータパケットの前記送出の間の時間差は前記遅延時間の前記第１の部分に等しく、前記遅延時間の前記第２の部分は前記第１のデータパケット及び前記第２のデータパケットの少なくとも一方にエンコードされる、
ことを特徴とするシステム。
【請求項１５】
前記制御エレクトロニクスが１本以上のケーブルによって前記プリントヘッドアセンブリと通信することを特徴とする請求項１４に記載のシステム。
【請求項１６】
前記ケーブルのそれぞれが前記制御エレクトロニクスから前記プリントヘッドアセンブリへの前記データパケットのシリアル送出を可能にすることを特徴とする請求項１５に記載のシステム。
【請求項１７】
前記ケーブルが光ケーブルを含むことを特徴とする請求項１５に記載のシステム。